(57)【要約】【課題】放送信号の分配時に信号レベルにロスが生じないようにすることができる放送受信装置を提供する。【解決手段】差動分配回路３は、平衡信号線対と接続され、平衡信号線対上の放送信号を第１系統および第２系統の２つに分配するとともに、各系統の信号を差動増幅する。第１のチューナ部４は、差動分配回路３で増幅された第１の系統の差動出力信号を周波数変換する。第２のチューナ部５は、差動分配回路３で増幅された第２の系統の差動出力信号を周波数変換する。【選択図】図１
2008011364.tif 000002
【特許請求の範囲】
【請求項１】
平衡信号線対と接続され、前記平衡信号線対上の放送信号を第１系統および第２系統の２つに分配するとともに、各系統の信号を差動増幅する差動分配回路と、
前記差動分配回路で増幅された第１の系統の差動出力信号を周波数変換する第１の受信チューナ部と、
前記差動分配回路で増幅された第２の系統の差動出力信号を周波数変換する第２の受信チューナ部とを備えた放送受信装置。
【請求項２】
前記差動分配回路は、
前記第１系統の信号を差動増幅する第１の差動増幅回路と、
前記第２系統の信号を差動増幅する第２の差動増幅回路とを含み、
前記第１の差動増幅回路の第１の入力端子と、前記第２の差動増幅回路の第１の入力端子と、前記平衡信号線対の第１の信号線とが接続され、
前記第１の差動増幅回路の第２の入力端子と、前記第２の差動増幅回路の第２の入力端子と、前記平衡信号線対の第２の信号線とが接続され、
前記第１の差動増幅回路の第１の出力端子と第２の出力端子とが、前記第１の受信チューナ部に接続され、
前記第２の差動増幅回路の第１の出力端子と第２の出力端子とが、前記第２の受信チューナ部に接続される、請求項１記載の放送受信装置。
【請求項３】
前記第１の受信チューナ部および前記第２の受信チューナ部は、衛星放送用のチューナであり、前記差動出力信号をベースバンド信号に周波数変換する、請求項１記載の放送受信装置。
【請求項４】
前記放送受信装置は、さらに、
前記第１の受信チューナ部から出力された信号をＱＰＳＫ復調し、前記第２の受信チューナ部から出力された信号をＱＰＳＫ復調する復調回路を備えた、請求項３記載の放送受信装置。
【請求項５】
前記第１の受信チューナ部および前記第２の受信チューナ部は、地上波放送用のチューナであり、前記差動出力信号をＩＦ信号に周波数変換する請求項１記載の放送受信装置。
【請求項６】
前記放送受信装置は、さらに、
前記第１の受信チューナ部から出力された信号をＱＡＭ復調し、前記第２の受信チューナ部から出力された信号をＱＡＭ復調する復調回路を備えた、請求項５記載の放送受信装置。
【請求項７】
前記第１の受信チューナ部および前記第２の受信チューナ部の一方が、衛星放送用のチューナであって、前記差動出力信号をベースバンド信号に周波数変換し、他方が地上波放送用のチューナであって、前記差動出力信号をＩＦ信号に周波数変換する、請求項１記載の放送受信装置。
【請求項８】
前記放送受信装置は、さらに、
前記第１の受信チューナ部および前記第２の受信チューナ部のうち、衛星放送用チューナの方から出力された信号をＱＰＳＫ復調し、
前記第１の受信チューナ部および前記第２の受信チューナ部のうち、地上波放送用チューナの方から出力された信号をＱＡＭ復調する復調回路を備えた、請求項７記載の放送受信装置。
【請求項９】
前記差動分配回路が集積化された、請求項１記載の放送受信装置。
【請求項１０】
前記第１の受信チューナ部および前記第２の受信チューナ部が集積化された、請求項１記載の放送受信装置。
【請求項１１】
前記差動分配回路、前記第１の受信チューナ部および前記第２の受信チューナ部が集積化された、請求項１記載の放送受信装置。
【発明の詳細な説明】
【技術分野】
【０００１】
本発明は、放送受信装置に関し、特に衛星放送および／または地上波放送を受信する放送受信装置に関する。
【背景技術】
【０００２】
近年、映像放送または地上波放送用のチューナを複数搭載する放送受信装置が出現している（たとえば、特許文献１を参照）。
【０００３】
従来の複数チューナを搭載する放送受信装置の概略を図３を用いて説明する。
図３を参照して、従来の放送受信装置３００では、ＲＦ入力端子１３から入力された信号は、不平衡型ハイパスフィルタ１４を経て、入力アンプ１５に送られる。入力アンプ１５で増幅された信号は分配器１６で分配されて、第１の受信チューナ部１７および第２の受信チューナ部１８に送られる。ここで、第１の受信チューナ部１７および第２の受信チューナ部１８は、それぞれ衛星放送用または地上波放送用のチューナである。
【特許文献１】特開２００２−１３５６６８号公報
【発明の開示】
【発明が解決しようとする課題】
【０００４】
しかしながら、ＲＦ入力端子より入力された放送信号を分配する際に、放送信号が二分されることにより、信号レベルにロスが発生する。これにより、弱入力時の感度低下およびＮＦ(Noise Figure)の劣化が生じる。
【０００５】
それゆえに、本発明の目的は、放送信号の分配時に信号レベルにロスが生じないようにすることができる放送受信装置を提供することである。
【課題を解決するための手段】
【０００６】
上記課題を解決するために、本発明は、平衡信号線対と接続され、平衡信号線対上の放送信号を第１系統および第２系統の２つに分配するとともに、各系統の信号を差動増幅する差動分配回路と、差動分配回路で増幅された第１の系統の差動出力信号を周波数変換する第１の受信チューナ部と、差動分配回路で増幅された第２の系統の差動出力信号を周波数変換する第２の受信チューナ部とを備える。
【０００７】
好ましくは、差動分配回路は、第１系統の信号を差動増幅する第１の差動増幅回路と、第２系統の信号を差動増幅する第２の差動増幅回路とを含み、第１の差動増幅回路の第１の入力端子と、第２の差動増幅回路の第１の入力端子と、平衡信号線対の第１の信号線とが接続され、第１の差動増幅回路の第２の入力端子と、第２の差動増幅回路の第２の入力端子と、平衡信号線対の第２の信号線とが接続され、第１の差動増幅回路の第１の出力端子と第２の出力端子とが、第１の受信チューナ部に接続され、第２の差動増幅回路の第１の出力端子と第２の出力端子とが、第２の受信チューナ部に接続される。
【０００８】
好ましくは、第１の受信チューナ部および第２の受信チューナ部は、衛星放送用のチューナであり、差動出力信号をベースバンド信号に周波数変換する。
【０００９】
好ましくは、放送受信装置は、さらに、第１の受信チューナ部から出力された信号をＱＰＳＫ復調し、第２の受信チューナ部から出力された信号をＱＰＳＫ復調する復調回路を備える。
【００１０】
好ましくは、第１の受信チューナ部および第２の受信チューナ部は、地上波放送用のチューナであり、差動出力信号をＩＦ信号に周波数変換する。
【００１１】
好ましくは、放送受信装置は、さらに、第１の受信チューナ部から出力された信号をＱＡＭ復調し、第２の受信チューナ部から出力された信号をＱＡＭ復調する復調回路を備える。
【００１２】
好ましくは、第１の受信チューナ部および第２の受信チューナ部の一方が、衛星放送用のチューナであって、差動出力信号をベースバンド信号に周波数変換し、他方が地上波放送用のチューナであって、差動出力信号をＩＦ信号に周波数変換する。
【００１３】
好ましくは、放送受信装置は、さらに、第１の受信チューナ部および第２の受信チューナ部のうち、衛星放送用チューナの方から出力された信号をＱＰＳＫ復調し、第１の受信チューナ部および第２の受信チューナ部のうち、地上波放送用チューナの方から出力された信号をＱＡＭ復調する復調回路を備える。
【００１４】
好ましくは、差動分配回路が集積化される。
好ましくは、第１の受信チューナ部および第２の受信チューナ部が集積化される。
【００１５】
好ましくは、差動分配回路、第１の受信チューナ部および第２の受信チューナ部が集積化される。
【発明の効果】
【００１６】
本発明によれば、信号の分配時に信号のロスが生じないようにすることができる。
【発明を実施するための最良の形態】
【００１７】
以下、本発明に係る実施の形態について図面を参照して説明する。
［第１の実施形態］
図１は、第１の実施形態の放送受信装置１００の構成を表わす図である。
【００１８】
図１を参照して、この放送受信装置１００は、ＲＦ入力端子１と、不平衡／平衡変換回路２０と、平衡型ハイパスフィルタ２と、差動分配回路３と、第１の受信チューナ部４と、第２の受信チューナ部５とを備える。
【００１９】
ＲＦ入力端子１は、複数の放送波が共通に入力される。
不平衡／平衡変換回路２０は、不平衡信号線を介してＲＦ入力端子１と接続され、平衡信号線対５０，５１を介し平衡型てハイパスフィルタ２と接続される。平平衡／平衡変換回路２０は、不平衡信号線上の放送信号を平衡放送信号に変換して、平衡信号線対の第１の信号線５０に正相の信号を出力し、平衡信号線対の第２の信号線５１に逆相の信号を出力する。
【００２０】
平衡型ハイパスフィルタ２は、平衡信号線対上の正相および逆相の信号の高域成分を通過させる。
【００２１】
差動分配回路３は、平衡信号線対５０，５１と接続され、平衡信号線対５０，５１上の放送信号を第１系統および第２系統の２つの系統に分配するともに、各系統の放送信号を差動増幅する。
【００２２】
差動分配回路３は、第１の差動増幅回路３ａと、第２の差動増幅回路３ｂとを備える。
第１の差動増幅回路３ａ、トランジスタ７と、トランジスタ８と、抵抗Ｒ１と、抵抗Ｒ２と、定電流回路１１を備える。
【００２３】
第２の差動増幅回路３ｂは、トランジスタ９と、トランジスタ１０と、抵抗Ｒ３と、抵抗Ｒ４とを備える。
【００２４】
トランジスタ７、トランジスタ８、トランジスタ９およびトランジスタ１０の特性は同一である。また、抵抗Ｒ１、抵抗Ｒ２、抵抗Ｒ３および抵抗Ｒ４の抵抗値は同一である。また、定電流回路１１および定電流回路２１が供給する定電流量は同一である。
【００２５】
トランジスタ７およびトランジスタ８のエミッタは、定電流回路１１に接続される。トランジスタ９およびトランジスタ１０のエミッタは、定電流回路２１に接続される。これにより、トランジスタ７、８、９、１０に流れる電流量は一定となる。
【００２６】
トランジスタ７およびトランジスタ１０のベースは、それぞれ、入力端子であり、その入力インピーダンスは高インピーダンスである。それゆえ、信号が分配されてもロスなく信号電圧が供給される。これらのベースは、平衡型ハイパスフィルタ２から出力される平衡信号線対の第１の信号線５０と接続され、正相の信号を受ける。
【００２７】
トランジスタ８およびトランジスタ９のベースは、それぞれ、入力端子であり、その入力インピーダンスは高インピーダンスである。それゆえ、信号が分配されてもロスなく信号電圧が供給される。これらのベースは、平衡型ハイパスフィルタ２から出力される平衡信号線対の第２の信号線５１と接続され、逆相の信号を受ける。
【００２８】
トランジスタ７のコレクタは、第１の受信チューナ部４と接続する第１の出力端子７１と接続され、差動増幅された正相の信号が第１の受信チューナ部４に供給される。
【００２９】
この第１の出力端子７１は、抵抗Ｒ１と接続され、抵抗Ｒ１は電源Ｖ＋と接続する。
トランジスタ８のコレクタは、第１の受信チューナ部４と接続する第２の出力端子７２と接続され、差動増幅された逆相の信号が第１の受信チューナ部４に供給される。
【００３０】
この第２の出力端子７２は、抵抗Ｒ２と接続され、抵抗Ｒ２は電源Ｖ＋と接続する。
トランジスタ９のコレクタは、第２の受信チューナ部５と接続する第２の出力端子７３と接続され、差動増幅された逆相の信号が第２の受信チューナ部５に供給される。
【００３１】
この第２の出力端子７３は、抵抗Ｒ３と接続され、抵抗Ｒ３は電源Ｖ＋と接続する。
トランジスタ１０のコレクタは、第２の受信チューナ部５と接続する第１の出力端子７４と接続され、差動増幅された正相の信号が第２の受信チューナ部５に供給される。
【００３２】
この第１の出力端子７４は、抵抗Ｒ４と接続され、抵抗Ｒ４は電源Ｖ＋と接続する。
第１の受信チューナ部４は、衛星放送用チューナであり、入力段に地上波放送を遮断するためのハイパスフィルタを備える。第１の受信チューナ部４は、第１の差動増幅回路３ａの差動出力信号をベースバンド信号（ＩおよびＱ信号）に周波数変換して、出力端子６ａ、６ｂよりベースバンド信号を出力する。
【００３３】
第２の受信チューナ部５は、衛星放送用チューナであり、入力段に地上波放送を遮断するためのハイパスフィルタを備える。第２の受信チューナ部５は、第２の差動増幅回路３ｂの差動出力信号をベースバンド信号（ＩおよびＱ信号）に周波数変換して、出力端子２６ａ、２６ｂよりベースバンド信号を出力する。
【００３４】
以上説明したように、本発明の実施形態の放送受信装置によれば、分配時の信号電圧のロスを低減することができるため、弱入力時のＮＦ特性を改善することができる。また、電源ノイズまたは電源ドリフトなど、同音雑音が除かれるためＣ／Ｎ(Carrier to Noise ratio)特性が向上する。図３の従来の放送受信装置では、分配器１６は一般に３ｄＢ程度の挿入損失がある。図３の従来の放送受信装置では、この損失を補償するためび、その前段に入力アンプ１５が設置して分配損失によるＮＦの補償を実施する。しかし、複数の受信チューナを単一の筐体に収納する場合には、電源配線の取り回しの複雑化などによって同音雑音を回避することが困難となる。これに対して、本発明の放送受信装置では、このような問題が改善される。
【００３５】
［第１の実施形態の変形例１］
第１の受信チューナ部４および第２の受信チューナ部５は、地上波放送用チューナであってもよい。この場合、第１の受信チューナ部４および第２の受信チューナ部５は、入力段に衛星放送を遮断するためのローパスフィルタを備える。第１の受信チューナ部４および第２の受信チューナ部５は、それぞれ差動出力信号をＩＦ信号に周波数変換して、出力端子６ａ、６ｂ，２６ａ，２６ｂよりＩＦ信号を出力する。
【００３６】
［第１の実施形態の変形例２］
第１の受信チューナ部４および第２の受信チューナ部５のいずれか一方が、衛星放送用チューナであり、他方が地上波放送用チューナであってもよい。この場合、衛星放送用チューナは、入力段に地上波放送を遮断するためのハイパスフィルタを備え、出力端子よりベースバンド信号（ＩおよびＱ信号）を出力する。また、地上波放送用のチューナは、入力段に衛星放送を遮断するためのローパスフィルタを備え、出力端子よりＩＦ信号を出力する。
【００３７】
［第１の実施形態の変形例３］
図１の差動分配回路３を集積化するものとしてもよい。従来の図３の装置では、分配器１６は素子自体が大型であり、集積化することが困難であったが、図１の差動分配回路３は小型のため、集積化は容易である。
【００３８】
また、図１の第１の受信チューナ部４および第２の受信チューナ部５を集積化するものとしてもよい。
【００３９】
また、図１の差動分配回路３、第１の受信チューナ部４および第２の受信チューナ部５を集積化するものとしてもよい。
【００４０】
［第２の実施形態］
図２は、第２の実施形態の放送受信装置２００の構成を表わす図である。
【００４１】
図２を参照して、この放送受信装置２００は、図１の放送受信装置１００に復調回路１２を備える。
【００４２】
復調回路１２は、衛星放送用復調器を含む。復調回路１２は、衛星放送用のチューナである第１の受信チューナ部４および衛星放送用のチューナである第２の受信チューナ部５から出力されるベースバンド信号（ＩおよびＱ信号）を受けて、これらをＱＰＳＫ(Quadrature Phase Shift Keying)復調して、ＴＳ（Transport Stream）信号を出力する。
【００４３】
［第２の実施形態の変形例１］
第１の受信チューナ部４および第２の受信チューナ部５が、地上波放送用のチューナである場合には、復調回路１２は、地上波放送用復調器を含む。復調回路１２は、第１の受信チューナ部４および第２の受信チューナ部５から出力されるＩＦ信号を受けて、これらをＱＡＭ（Quadrature Amplitude Modulation）復調して、ＴＳ信号を出力する。
【００４４】
［第２の実施形態の変形例２］
第１の受信チューナ部４および第２の受信チューナ部５の一方が、衛星放送用のチューナであり、他方が地上波放送用のチューナである場合には、復調回路１２は、地上波放送用復調器および衛星放送用復調器を含む。復調回路１２は、第１の受信チューナ部４および第２の受信チューナ部５の一方から出力されるベースバンド信号（ＩおよびＱ信号）を受けて、これらをＱＰＳＫ復調して、ＴＳ信号を出力するとともに、他方から出力されるＩＦ信号を受けて、これらをＱＡＭ復調して、ＴＳ信号を出力する。
【００４５】
（変形例）
本発明は、上記の実施の形態に限定されるものではなく、たとえば以下のような変形例を含む。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４７】
【図１】第１の実施形態の放送受信装置１００の構成を表わす図である。
【図２】第２の実施形態の放送受信装置２００の構成を表わす図である
【図３】従来の放送受信装置３００の構成を表わす図である。
【符号の説明】
【００４８】
１，１３  ＲＦ入力端子、２  平衡型ハイパスフィルタ、３  差動分配回路、３ａ  第１の差動増幅回路、３ｂ  第２の差動増幅回路、４，１７  第１の受信チューナ部、５，１８  第２の受信チューナ部、６ａ，６ｂ，２６ａ，２６ｂ，３６ａ，３６ｂ，７１，７２，７３，７４  出力端子、７，８，９，１０  トランジスタ、１１，２１  定電流回路、１２  復調回路、１４  不平衡型ハイパスフィルタ、１５  入力アンプ、１６  分配器、２０  不平衡／平衡回路、５０，５１  平衡信号線、Ｒ１，Ｒ２，Ｒ３，Ｒ４  抵抗。
【図１】
2008011364.tif 000003
【図２】
2008011364.tif 000004
【図３】
2008011364.tif 000005